(57)【要約】【課題】  上方に棚や他の設置物がある場所にも問題なく設置できると共に、食器の出し入れもしやすく、更に、扉の構造上の安定性に優れると共に、扉の動作の円滑性に優れるようにする。【解決手段】  本体４１に下扉４３を回動可能に支持して設け、その下扉４３に突起（係合部）６２を設けた。又、上扉４４には、下端側５９ａが後下がりに傾斜する溝（ガイド部）５９を設け、この溝５９を突起６２に係合させて上扉４４を下扉４３にスライド可能に結合し、その上扉４４のスライドと下扉４３の回動とによって本体４１の開口部４８を開閉するようにした。【選択図】  図１
2006181020.tif 000002
【特許請求の範囲】
【請求項１】
内部で食器を洗浄する洗浄室を有すると共に、その洗浄室に対して食器を出し入れするための開口部を前面側に有する本体と、
この本体に回動可能に支持された下扉と、
この下扉に設けられた係合部と、
下端側が後下がりに傾斜するガイド部を有し、このガイド部を前記係合部に係合させて前記下扉にスライド可能に結合され、そのスライドと前記下扉の回動とによって前記開口部を下扉とともに開閉する上扉とを具備して成ることを特徴とする食器洗浄機。
【請求項２】
下扉と上扉との分割面を、後下がりに傾斜させたことを特徴とする請求項１記載の食器洗浄機。
【請求項３】
下扉と上扉の分割面の傾斜を、ガイド部の下端側の傾斜にほゞ沿わせたことを特徴とする請求項２記載の食器洗浄機。
【請求項４】
下扉と上扉の分割面の傾斜角度を、ガイド部の下端側の傾斜角度より小さくしたことを特徴とする請求項２記載の食器洗浄機。
【請求項５】
ガイド部の下端側の傾斜角度を、垂直線に対して６０度以下としたことを特徴とする請求項１記載の食器洗浄機。
【請求項６】
上扉がガイド部の下端側を突出部に有し、その突出部が嵌入する嵌入部を本体が有することを特徴とする請求項１記載の食器洗浄機。
【請求項７】
ガイド部の下端が開放して、上扉を着脱可能としたことを特徴とする請求項１記載の食器洗浄機。
【発明の詳細な説明】
【技術分野】
【０００１】
本発明は、扉を下扉と上扉とに分けて有する食器洗浄機に関する。
【背景技術】
【０００２】
従来より、食器洗浄機においては、扉を下扉と上扉とに分けて有するものが供されている。図１７はその第１例を示しており、本体１の前面部に、扉２が下扉２ａと上扉２ｂとに分けて設けられ、開放時に、該扉２は、下扉２ａと上扉２ｂとで上方に折り畳まれて開放されるようになっている。
図１８は第２例を示しており、本体１１の前面部に、扉１２が下扉１２ａと上扉１２ｂとに分けて設けられ、開放時に、該扉１２は、下扉１２ａが下方へ回動され、上扉１２ｂが上方へ回動されて開放されるようになっている。
【０００３】
図１９は第３例を示しており、本体２１の前面側に、扉２２が下扉２２ａと上扉２２ｂとに分けて設けられ、開放時に、該扉２２は、下扉２２ａが下方へ回動され、上扉２２ｂがワイヤ２３ａを主体とする連動機構２３により上方へスライド移動されて、開放されるようになっている。
そして、図２０は第４例を示しており、本体３１の前面部に、扉３２が下扉３２ａと上扉３２ｂとに分けて設けられ、開放時に、該扉３２は、下扉３２ａが下方へ回動され、上扉３２ｂがリンク３３ａを主体とする連動機構３３により本体３１から離間されて下扉３２ａの上に重ね置かれることにより、開放されるようになっている。
【特許文献１】特開２００２−１０９６１号公報
【発明の開示】
【発明が解決しようとする課題】
【０００４】
上記従来のもののうち、第１例のものでは、開放時、扉２が下扉２ａと上扉２ｂとで上方に折り畳まれて開放されるものの、それら下扉２ａ及び上扉２ｂが本体１上で起立するため、上方に棚等が低めにあれば、それに下扉２ａ又は上扉２ｂが当たり、扉２の開放が充分にできなくなる。よって、そのような場所には食器洗浄機を設置することができないという問題点を有していた。
【０００５】
これに対して、第２例のものでは、開放した上扉１２ｂはほゞ水平に止められるものであり、従って、上方に低めに棚等があってもそれに上扉１２ｂが当たる心配はないものの、この上扉１２ｂが本体１１の前方に突き出るため、本体１１内の洗浄室に対する食器の出し入れがしにくい、すなわち、上扉１２ｂが食器の出し入れの邪魔になるという問題点を有していた。
【０００６】
一方、第３例のものでは、開放時、上方へスライド移動された上扉２２ｂが本体２１上に位置するため、第１例のものほどではないものの、上方に位置する他の設置物があれば、それに上扉２２ｂが当たり、扉２２の開放が充分にできなくなるので、そのような場所には食器洗浄機を設置することができないという問題点を有していた。
【０００７】
そして、第４例のものでは、開放した上扉３２ｂは下扉３２ａの上に重ね置かれるものであり、従って、上方に棚や他の設置物があっても、それに上扉３２ｂが当たる心配はなく、又、上扉３２ｂが食器の出し入れの邪魔になることもないものの、下扉３２ａと上扉３２ｂとが分離して別々に動作する構造であるため、構造上の安定性に欠けるという問題点を有していた。
【０００８】
本発明は上述の事情に鑑みてなされたものであり、従ってその目的は、上方に棚や他の設置物がある場所にも問題なく設置できると共に、食器の出し入れもしやすく、更に、扉の構造上の安定性に優れると共に、扉の動作の円滑性に優れる食器洗浄機を提供するにある。
【課題を解決するための手段】
【０００９】
上記目的を達成するために、本発明の食器洗浄機においては、内部で食器を洗浄する洗浄室を有すると共に、その洗浄室に対して食器を出し入れするための開口部を前面側に有する本体と、この本体に回動可能に支持された下扉と、この下扉に設けられた係合部と、下端側が後下がりに傾斜するガイド部を有し、このガイド部を前記係合部に係合させて前記下扉にスライド可能に結合され、そのスライドと前記下扉の回動とによって前記開口部を下扉とともに開閉する上扉とを具備して成ることを特徴とする。
【発明の効果】
【００１０】
上記手段によれば、扉は、開放するときに、下扉が回動されて、上扉が下扉に沿いスライドするものであり、それによって、上方に棚や他の設置物がある場所でも、それらに扉が当たるようなことがなく、問題なく設置できる。又、開放して下扉に上扉がスライドした扉は食器の出し入れの邪魔になることもなく、食器の出し入れをしやすくできる。そして、下扉と上扉はスライド可能に結合されて、開閉いずれのときも同体で動作するものであり、安定した構造でその開閉ができる。更に、そのスライド構造については、上扉が有するガイド部の下端側が後下がりに傾斜することで、上扉が下扉に対して円滑にスライドする。
【発明を実施するための最良の形態】
【００１１】
以下、本発明の第１実施例（第１の実施形態）につき、図１ないし図１２を参照して説明する。
まず、図３には、本体４１と、これの前面側に設けた扉４２を示している。このうち、扉４２は、下扉４３及び上扉４４から成っている。
【００１２】
一方、本体４１は、外箱４５を外殻とし、これの内部に図４に示す内箱４６を配設して、該内箱４６の内部を洗浄室４７としている。この洗浄室４７は、前面側、この場合、図１（ロ）、（ハ）に示すように、前面部から上面の前部にかけた部分が開口（開口部４８）しており、洗浄室４７内には、その開口部４８から下食器かご４９と上食器かご５０とを引出し可能に収納している。これらの食器かご４９，５０は、食器５１を収納配列するものであり、従って、開口部４８は、それら食器かご４９，５０の出し入れと共に食器５１の出し入れに供するようになっている。
【００１３】
このほか、洗浄室４７内には、図示しない噴水体やヒータ等を配設し、洗浄室４７外（本体４１内）に同じく図示しない給水弁や水位検知装置、洗浄ポンプ、排水ポンプ、及び送風機等を配設して、これらの洗浄手段及び乾燥手段により、上記両食器かご４９，５０に収納配置した食器５１の洗浄及び乾燥を行うようになっている。
【００１４】
なお、図３に示すように、扉４２には、上述の洗浄及び乾燥の運転について必要な操作をするための操作パネル５２を、下扉４３の前面部のほゞ中央に設けている。又、扉４２の後述するロック解除操作をするための操作部材である押釦５３を、上扉４４の前面部のほゞ中央に設けており、扉４２の閉操作をするための手懸部５４を、同上扉４４の前面部の上記押釦５３より上方の部分に設け、その両側に、もっぱら乾燥時の排気をする排気口５５を設けている。
【００１５】
排気口５５は、図４に示すように、裏側をカバー５６で通気可能に覆って洗浄中の水が機外に噴出するのを防止するようにしており、そのほか、上扉４４の裏面には洗剤受け部５７を設けている。
【００１６】
そして、図１（イ）〜（ハ）に示すように、下扉４３は、下端部の左右両側を、支軸５８によって本体４１に上下回動可能に取付け支持している。又、上扉４４には、左右の両側面部の外側に、ガイド部としての溝５９を形成している。この溝５９は、詳細には、上扉４４の左右両側面部の前側を上部から下部へ直線状に延び、そして、下端側５９ａにおいては前側から後下がりに傾斜して延びる形態に形成しており、その傾斜角度θ１は垂直線に対して６０度以下、特には４０度としている。
【００１７】
又、溝５９の下端側５９ａの延びの関係上、上扉４４の左右両側面部の下端側は、下扉４３よりも本体４１側に突出する突出部６０としている。すなわち、上扉４４は、溝５９の下端側５９ａを突出部６０に有している。
【００１８】
これに対して、下扉４３には、左右両側壁の上部の外側に耳のような張出部６１を係合部材として形成し、これにより上扉４４を挟むようにしている。又、この張出部６１の後部内側には、係合部として突起６２を図５に示すように形成しており、この突起６２を、上述の溝５９に嵌入させて係合させ、溝５９がこの突起６２を沿わせて移動するスライド構造にて、下扉４３に上扉４４をスライド可能に結合している。又、図４に示すように、溝５９はその下端５９ｂを開放させており、それによって、上扉４４を下扉４３に対し着脱可能としている。
【００１９】
なお、この場合、図５に示すように、張出部６１は下扉４３と一体であるが、別体としてねじ等により取付けるようにしても良い。又、上扉４４の左右両側外面と下扉４３の左右両側外面とはほゞ面一で、それらより張出部６１のみが外側に突出している。更に、突起６２は、先端に小突起６２ａを有していて、それを溝５９の奥面に当接させることにより、上扉４４の外側面と張出部６１の内面とのとの間に隙間Ｇが保たれ、上扉４４の外側面を張出部６１の内面で摺って傷付けることのないようにしている。
【００２０】
加えて、上扉４４の内面の周縁部には、２条の防水リブ６３，６４を形成しており、下扉４３の内面の周縁部にも、同じく２条の防水リブ６５，６６を形成している。このうち、上扉４４の防水リブ６３，６４は、上扉４４の内面の左右の両側縁部と上縁部とに存し（図４参照）、下扉４３の防水リブ６５，６６は、下扉４３の内面の左右の両側縁部と下縁部とに存している。
【００２１】
これらに対して、本体４１には、図６に示すように、開口部４８の左右、上下の全周縁部に、同じく２条の防水リブ６７，６８を形成しており、この防水リブ６７，６８間の溝部６９には、奥部にパッキン７０を配設していて、これに、上記上扉４４の防水リブ６４並びに下扉４３の防水リブ６６（図６では下扉４３の防水リブ６６のみ図示）がそれぞれ先端部を圧接させることにより、扉４２閉鎖状態での本体４１と扉４２との間の密封（開口部４８の密封）をするようにしている。
【００２２】
なお、上記パッキン７０に先端部を圧接させた上扉４４の防水リブ６４並びに下扉４３の防水リブ６６は、溝部６９内に入って本体４１の防水リブ６７，６８と内外に重なり合い、更に、その内方で、上扉４４の防水リブ６３並びに下扉４３の防水リブ６５（これも図６では下扉４３の防水リブ６５のみ図示）が本体４１の防水リブ６７と重なり合って、扉４２閉鎖状態での本体４１と扉４２との間の防水効果を高めるようにしている。
【００２３】
又、この場合、図５に示すように、上扉４４の防水リブ６３，６４は、その高さを上扉４４の厚さＴ４４とほゞ同等以下としており、下扉４３の防水リブ６５，６６も、その高さを下扉４３の厚さＴ４３とほゞ同等以下とし、これらによって、上扉４４と下扉とが後述のごとく開放状態で上下に重なったときの厚さ寸法を最小限に抑え、上扉４４の上に引出される下食器かご４９の洗浄室４７内並びに洗浄室４７外における位置をできる限り下方に設定して、下食器かご４９の出し入れ、並びに引出した該下食器かご４９に対する食器５１の出し入れが容易にできるようにしている。
【００２４】
図７は、参考に、従来のものの上扉（下扉）２０１の防水リブ２０２，２０３の高さを示しており、この防水リブ２０２，２０３は、上扉２０１の厚さＸより寸法Ｙだけ突出しており、総じて上扉２０１の厚さはＸ＋Ｙ＝Ｚとなっていた。このため、上扉２０１と下扉（図示せず）とが開放状態で上下に重なったときの厚さ寸法は、本実施例構造のものより大きくなり、その分、上扉２０１の上に引出される下食器かごの洗浄室内並びに洗浄室外における位置も高くなって、下食器かごの出し入れ、並びに引出した該下食器かごに対する食器の出し入れが本実施例構造のものほど容易にできるものではなかった。
【００２５】
図８は、下扉４３と上扉４２との分割面７１（下扉４３の上端面、上扉４２の下端面）を詳細に表しており、前記上扉４４における溝５９の下端側５９ａの傾斜に合わせて、この分割面７１も後下がりに傾斜させており、その傾斜は溝５９の下端側５９ａの傾斜にほゞ沿い、もしくはその傾斜角度θ２を溝５９の下端側５９ａの傾斜角度より小さくしている。
【００２６】
図８には又、上扉４４と下扉４３との間のシール構造を示しており、上扉４４の下端部の後側には、ひれ部７２ａを有するパッキン７２を、上扉４４の表面部材４４ａと内側部材４４ｂとで挟着している。加えて、上扉４４の下端部には、斜め上方に指向する凸部７３を形成すると共に、パッキン７２よりも下方へ延びる凸壁７４を形成している。
【００２７】
これらに対して、下扉４３の上端部には、上から順に、凹部７５と、パッキン接触面７６、及び段部７７を形成しており、扉４２の閉鎖状態で、凹部７５には上記上扉４４の凸部７３が嵌合し、パッキン接触面７６にはパッキン７２のひれ部７２ａが圧接し、段部７７には凸壁７４が当接して、上扉４４と下扉４３との間の密封をするようにしている。
【００２８】
特に、その密封は、洗浄室４７内から、凸壁７４及びパッキン７２による２段階構造であり、それによって、洗浄室４７内からの水漏れをより確実に防止することができる。又、凸部７３と凹部７５との嵌合により、上扉４４と下扉４３との結合が堅固となるため、パッキン接触面７６に対するパッキン７２の圧接量が安定し、密封性能を高めることができる。
なお、図９は、扉４２（上扉４４と下扉４３）が閉鎖する直前の状態を示しており、後述で明らかとなるように、上扉４４が矢印方向に進んで上述の密封状態となる。
【００２９】
上扉４４の前記突出部６０の後下方には、支持部材７８を着脱可能な取付部材としての図４に示すねじ７９によって取付けており、この支持部材７８には、内側に図１０に示す突起８０を係合部として設け、この突起８０を、本体４１（内箱４６の外側面部）に上下に延びるように形成したガイド部である溝８１に係合させ、ひいては支持部材７８を本体４１に上下移動可能に連結している。
【００３０】
又、支持部材７８には、連結部材８２の一端部を上記突起８０の外側で連結ピン８３によって上下回動可能に連結しており、連結部材８２の他端部は、図１（イ）に示すように、下扉４３の下部の後側に延設した連結部８４の基部に連結ピン８５によって上下回動可能に連結している。
【００３１】
連結部８４の先端部と本体４１との間には、引張コイルスプリング８６を張架しており、他方、支持部材７８の先端部と本体４１との間にはダンパ８７を架設し、更に、そのダンパ８７の固定側（本体４１側）と可動側（支持部材７８側）との間には、引張コイルスプリング８８を張架している。
上記引張コイルスプリング８６，８８は、下扉４３と上扉４４とに閉鎖方向のモーメントを付与するもので、扉閉鎖付勢手段であり、その付勢力よりも、上扉４４と下扉４３のそれぞれ自重による開放方向のモーメントが勝るようにしている。
【００３２】
そのほか、上扉４４の左右両側には、ラッチ８９を設けており、このラッチ８９は、図１１及び図１２に詳細に示すように、本体４１に形成した孔９０を貫通してその下側に係合するもので、すなわち、本体４１の孔９０の下側がラッチ８９が係合する係止部９１となっている。又、ラッチ８９は、上扉４４に内設した連軸９２の両端に設けており、その連軸９２を前記押釦５３が押圧操作されることで回転させるようにし、それによって、上記係止部９１に対するラッチ８９の係合が解除されるようにしている。
【００３３】
加えて、本体４１の係止部９１後方の位置には、レバー９３を図１（イ）、（ロ）に示す支軸９４によって枢支し、更にその後方にスイッチ９５を配設していて、係止部９１に係合するラッチ８９により、レバー９３が前側の一端部を押し下げられて、下側の他端部によりスイッチ９５を操作し、それによって、食器洗浄機の運転が実行できるようにしている。従って、それらレバー９３、スイッチ９５は、上扉４４の開閉、ひいては扉４２の開閉に応動するドアスイッチとして機能し、更には扉開閉検知手段として機能するようになっている。
【００３４】
又、本体４１には、前部の中間部に前方に開放する凹部９６を形成しており、この凹部９６に前記上扉４４の突出部６０が嵌入するようにしている。従って、凹部９６は上扉４４の一部が嵌入する嵌入部であり、その嵌入がしやすいように、凹部９６は後方に向かって先細状に形成している。なお、それらに合わせて、張出部６１も、同形状に形成している。
【００３５】
更に、本体４１には、前記上扉４４の支持部材７８が通るスリット９７を形成しており、このスリット９７を、上扉４４（扉４２）の開放状態では、図１（ハ）及び図４に示すように、支持部材７８が閉塞するようにしている。
このほか、図２（ロ）には、洗浄室４７内における下食器かごガイド９８及び上食器かごガイド９９を示している。
【００３６】
さて、上記構成のものの場合、扉４２（下扉４３及び上扉４４）が図１（イ）に示す閉鎖状態にあるとして、この状態から、使用者が押釦５３を押圧操作すると、ラッチ８９が本体４１の係止部９１との係合を解除されると共に、ラッチ８９によるレバー９３の前側の一端部の押し下げが解除されて、該レバー９３の下側の他端部によるスイッチ９５の操作が解除されるので、食器洗浄機の運転が実行できない状態となる。
【００３７】
又、それと同時に、本体４１のパッキン７０の反発力と、上扉４４及び下扉４３の自重による開放方向のモーメントとにより、上扉４４が、溝５９を下扉４３の張出部６１が有した突起６２に沿わせて下方へ移動させることにより、下扉４３に対して下方へスライドする。このとき、溝５９の下端側５９ａが後下がりに傾斜していることで、上扉４４のスライド、特には上扉４４が下扉４３と面一となった状況から下扉４３に重なるときのスライドは円滑に行われる。又、それには、下扉４３と上扉４４の分割面７１の傾斜を溝５９の下端側５９ａの傾斜にほゞ沿わせたことや、分割面７１の傾斜角度θ２を溝５９の下端側５９ａの傾斜角度θ１より小さくしたこと、並びに溝５９の下端側５９ａの傾斜角度θ１を垂直線に対して６０度以下としたことも有効で、それらにより、上扉４４のスライドは円滑に行われる。
【００３８】
そして、それと共に、図１（ロ）に示すように、下扉４３が支軸５８を中心に前下方へ回動し、最終的に、図１（ハ）に示すように、上扉４４及び下扉４３がともに水平状態となって内面部を上に向け、下扉４３の上に上扉４４が重なって開口部４８を開放した状態となる。
【００３９】
又、このときの上扉４４及び下扉４３の開放は、それら上扉４４及び下扉４３の自重が引張コイルスプリング８６，８８の付勢力に抗することで、最初はゆっくりであるが、徐々に加速度を増して速くなろうとする。それに、ダンパ８７が対抗機能し、よって、上扉４４及び下扉４３の開放は最初から全開位置までの全部を通じてゆっくり行われる。
又、上扉４４の支持部材７８の突起８０は、途中まで溝８１の最上部の位置にあって上扉４４の回動支点として機能し、最終的には溝８１の最下部まで下降する。
【００４０】
なお、図２（イ）には、開放した上扉４４の上に引出した下食器かご４９を表しており、図２（ロ）には、同じく引出した上食器かご５０を表している。又、それらの図２（イ），（ロ）及び図１（ハ）に示すように、扉４２を開放した状態では、上扉４４の前端部と下扉４３の前端部の上下間に側面形がほゞ三角形の隙間１００が形成されるようになっている。
【００４１】
そして、上述のように開放した扉４２を閉鎖させるには、手を隙間１００に入れて上扉４４の手懸部５４に懸け、上扉４４を引き上げる。すると、上述とは逆に、下扉４３が支軸５８を中心に後上方へ回動し、それに伴い、上扉４４が溝５９を下扉４３の張出部６１が有した突起６２に沿わせて上方へ移動させることにより、下扉４３に対して上方へスライドし、最終的に、図１（イ）に示したように、上扉４４及び下扉４３がともに垂直状態となって内面部を後方に向け、下扉４３の上に上扉４４が連なって開口部４８を閉鎖した状態となる。
【００４２】
又、このときにも、溝５９の下端側５９ａが後下がりに傾斜していることや、下扉４３と上扉４４の分割面７１の傾斜を溝５９の下端側５９ａの傾斜にほゞ沿わせたこと、分割面７１の傾斜角度θ２を溝５９の下端側５９ａの傾斜角度θ１より小さくしたこと、並びに溝５９の下端側５９ａの傾斜角度θ１を垂直線に対して６０度以下としたことで、上扉４４のスライド、特には下扉４３の上に上扉４４が連なって面一となるときのスライドは、やはり円滑に行われる。
【００４３】
更に、この間も、引張コイルスプリング８６，８８やダンパ８７及び上扉４４の支持部材７８の突起８０は、図１（ハ）から（ロ），（イ）に示すように（開放時とは逆）変化する。更に、ラッチ８９が係止部９１に係合し、扉４２を閉鎖状態にロックすると共に、レバー９３がラッチ８９により前側の一端部を押し下げられて、下側の他端部によりスイッチ９５を操作し、食器洗浄機の運転が実行できるようになる。
【００４４】
このように本構成のものでは、扉４２は、開放するときに、下扉４３が回動されて、上扉４４が下扉４３に沿いスライドするものであり、それによって、上方に棚や他の設置物がある場所でも、それらに扉４２が当たるようなことがなく、問題なく設置できる。又、この場合、設置箇所の上方に余分なスペースを確保する必要がなく、その分、本体４１の高さを大きくすることができるので、食器５１の収容量を増すことができ、あるいは大きな食器５１の収容、洗浄に有利なようにできる。
【００４５】
更に、開放して下扉４３に上扉４４がスライドした扉４２は食器５１の出し入れの邪魔になることもなく、食器５１の出し入れをしやすくできる。
そして、下扉４３と上扉４４は、上扉４４がスライド可能に結合されて、開閉いずれのときも同体で動作するものであり、安定した構造でその開閉ができる。又、それにより、下扉４３と上扉４４とのずれもないので、扉４２閉鎖時の密封等も、より容易に確実にできる。
【００４６】
更に、上扉４４のスライド構造については、上扉４４が有する溝（ガイド部）５９の下端側５９ａが後下がりに傾斜することで、上扉４４が下扉４３に対して円滑にスライドするものであり、もって扉４２の動作の円滑性に優れるようにできる。しかも、扉４２の閉鎖状態では、後下がりに傾斜した溝５９の下端側５９ａで、下扉４３の開放方向（前下方）への突起（係合部）６２の動きを制することができ、よって、上扉４４と共に下扉４３を確実に閉鎖状態に留めることができて、洗浄室４７からの水漏れをより確実に防止することができる。
【００４７】
加えて、本構成のものの場合、下扉４３と上扉４４との分割面７１を、後下がりに傾斜させており、それによって、上扉４４が下扉４３に対して一層円滑にスライドするようにできるので、扉４２の動作の円滑性に一段と優れるようにできる。しかも、この場合、扉４２を開放した状態では、上扉４４の前端部と下扉４３の前端部の上下間に側面形がほゞ三角形の隙間１００が形成されるので、扉４２の閉鎖時、上扉４４に手を懸けるのに都合良くできて、取扱性を良くすることができる。
【００４８】
又、下扉４３と上扉４４の分割面７１の傾斜を、溝５９の下端側５９ａの傾斜にほゞ沿わせたことでも、上扉４４が下扉４３に対して一層円滑にスライドするようにできて、扉４２の動作の円滑性に一段と優れるようにできる。
更に、下扉４３と上扉４４の分割面７１の傾斜角度θ２を、溝５９の下端側５９ａの傾斜角度θ１より小さくしたことでも、上扉４４が下扉４３に対して一層円滑にスライドするようにできて、扉４２の動作の円滑性に一段と優れるようにできる。
【００４９】
そして、溝５９の下端側５９ａの傾斜角度θ１を、垂直線に対して６０度以下としたことで、上扉４４が下扉４３に対して一層円滑にスライドすることが発明者の実験により確認できており、従って、それによっても扉４２の動作の円滑性に一段と優れるようにできる。又、この場合、前述の、扉４２の閉鎖状態で、後下がりに傾斜した溝５９の下端側５９ａにより、下扉４３の開放方向への突起６２の動きを制して、上扉４４と共に下扉４３を確実に閉鎖状態に留める効果も、より確実に得られることが発明者の実験により確認できている。
【００５０】
そのほか、本構成のものにおいては、上扉４４が溝５９の下端側５９ａを突出部６０に有し、その突出部６０が嵌入する嵌入部を本体４１が有するようにしている。これにより、扉４２（下扉４３、上扉４４）が閉鎖状態で本体４１に位置規制されて特に上下方向にずれることがなくなり、商品性を高めることができると共に、パッキン７０に対する防水リブ６４，６６のずれ等がなくなって、密封効果を高めることができる。又、突出部６０が本体４１の外側方に突出することもなくなって、外観の品位を良くすることができる。
【００５１】
更に、溝５９の下端５９ｂが開放して、上扉４４を着脱可能としており、それによって、下扉４３の内面の掃除が上扉４４を取外した状態で容易且つ充分にできると共に、下扉４３に対する上扉４４の組付けも容易にできる。なお、特に本構成のものの場合、上扉４４を下扉４３から取外すには、その前に、図４に示したねじ７９を外すことによって上扉４４を支持部材７８から取外す必要があり、その上で、溝５９を突起６２に沿わせ、開放した下端５９ｂにて突起６２から外す。
【００５２】
そして、突起６２を有する張出部６１を下扉４３に一体に形成したことにより、寸法精度を良くでき、しかも、その部分に上扉４４のスライドによる荷重が大きくかかるのに対して、充分な強度を持たせることができるし、コストも安く抑えることができる。
【００５３】
以上に対して、図１３ないし図１６は本発明の第２及び第３実施例（第２及び第３の実施形態）を示すもので、第１実施例と同一又は同様の部分には同一の符号を付して説明を省略し、異なる部分についてのみ述べる。
【００５４】
［第２実施例］
図１３に示す第２実施例においては、上扉４４の溝５９を、内側部材４４ｂの延長部分１１１に形成し、更に、その縁部５９ｃを外側方へ突出させて形成していて、それに前述の張出部６１に代わる張出部１１２が有する突起６２の近傍部分を当接させることにより、上扉４４の外側面と張出部１１２の内面との間に隙間Ｇが保たれ、上扉４４の外側面を張出部１１２の内面で摺って傷付けることのないようにしている。
【００５５】
又、この場合、張出部１１２は下扉４３にねじ１１３によって取付ける別部品とし、その外面には化粧部材１１４を装着して、外観の品位を高めるようにしている。更に、下扉４３側面部及び上扉４４の側面部も、別体の飾り部材１１５，１１６で構成することによって、同じく外観の品位を高めるようにしている。
【００５６】
［第３実施例］
図１４ないし図１６に示す第３実施例においては、まず、上扉４４の前面部に、排気口１２１と取手１２２とを上下に分けて設けている。
又、本体４１の凹部（嵌入部）１２３を、前述の凹部９６に代えて、半円形に形成しており、上扉４４の突出部１２４と張出部１２５も、それぞれ前述の突出部６０及び張出部６１に代えて、半円形に形成している。
【００５７】
更に、下食器かご４９には、円筒状の例えばプラスチックから成るすべり部材１２６を装着しており、これを上扉４４の裏面部に形成したかごガイド１２７が下食器かご４９の引出し時に案内するようにしている。
加えて、上扉４４には、上記突出部１２４から連結部１２８を延設し、この連結部１２８に連結部材１２９の一端部を連結ピン１３０によって上下回動可能に連結し、連結部材１２９の他端部は、本体４１に支軸１３１によって上下回動可能に支持させている。そして、本体４１と連結部材１２９の中間部との間に、引張コイルスプリング８８を張架している。
このようにしても、第１実施例と同様の作用効果を得ることができる。
【００５８】
このほか、本発明は上記し且つ図面に示した実施例にのみ限定されるものではなく、要旨を逸脱しない範囲内で適宜変更して実施し得る。
【図面の簡単な説明】
【００５９】
【図１】本発明の第１実施例を示す破断側面図で、（イ）が扉閉鎖状態、（ロ）が扉開放途中（閉鎖途中）状態、（ハ）が扉開放状態をそれぞれ示す図
【図２】破断側面図で、（イ）が下食器かご引出し状態、（ロ）が上食器かご引出し状態をそれぞれ示す図
【図３】全体の外観斜視図
【図４】主要部分の扉開放状態での斜視図
【図５】図１（ハ）のＡ−Ａ線に沿う拡大断面図
【図６】図１（イ）のＢ−Ｂ線に沿う拡大断面図
【図７】図６相当の参考図
【図８】図３のＣ−Ｃ線に沿う拡大断面図
【図９】扉閉鎖直前状態での図８相当図
【図１０】図１（イ）のＤ−Ｄ線に沿う拡大断面図
【図１１】図１（イ）のＥ−Ｅ線に沿う拡大断面図
【図１２】図１１のＦ−Ｆ線に沿う断面図
【図１３】本発明の第２実施例を示す図５相当図
【図１４】本発明の第３実施例を示す図３相当図
【図１５】図５相当図
【図１６】図１相当図
【図１７】従来の第１例を示す扉開放状態の側面図
【図１８】従来の第２例を示す図１７相当図
【図１９】従来の第３例を示す図１７相当図
【図２０】従来の第４例を示す図１７相当図
【符号の説明】
【００６０】
図面中、４１は本体、４３は下扉、４４は上扉、４７は洗浄室、４８は開口部、５１は食器、５９は溝（ガイド部）、５９ａは溝の下端側（ガイド部の下端側）、θ１は溝の下端側の傾斜角度（ガイド部の下端側の傾斜角度）、５９ｂは溝の下端（ガイド部の下端）、６０は突出部、６２は突起（係合部）、７１は下扉と上扉の分割面、θ２は分割面の傾斜角度、９６は凹部（嵌入部）、１２３は凹部（嵌入部）、１２４は突出部を示す。
【図１】
2006181020.tif 000003
【図２】
2006181020.tif 000004
【図３】
2006181020.tif 000005
【図４】
2006181020.tif 000006
【図５】
2006181020.tif 000007
【図６】
2006181020.tif 000008
【図７】
2006181020.tif 000009
【図８】
2006181020.tif 000010
【図９】
2006181020.tif 000011
【図１０】
2006181020.tif 000012
【図１１】
2006181020.tif 000013
【図１２】
2006181020.tif 000014
【図１３】
2006181020.tif 000015
【図１４】
2006181020.tif 000016
【図１５】
2006181020.tif 000017
【図１６】
2006181020.tif 000018
【図１７】
2006181020.tif 000019
【図１８】
2006181020.tif 000020
【図１９】
2006181020.tif 000021
【図２０】
2006181020.tif 000022